(57)【特許請求の範囲】
【請求項１】
故障により正常に読み取りできない状態となっているハードディスクドライブ内に記憶されたデータの読取方法であって、
前記ハードディスクドライブの筐体の密閉状態を解除する工程と、
前記密閉状態が解除されたハードディスクドライブを容器に密閉収容する工程と、
前記容器内の気圧を調整する気圧調整工程と、
前記容器内のハードディスクドライブに内蔵されたプラッタから読取／書込ヘッドによりデータの正確な読み取りができたことを検知する検知工程と、
前記気圧調整工程中において、データの正確な読み取りができる状態の該気圧を維持する工程と、
前記気圧を維持した状態で、前記プラッタからデータを読み取り、読み取ったデータを記憶媒体へ移し替える工程と、
を備えることを特徴とするハードディスクドライブ内に記憶されたデータの読取方法。
【請求項２】
前記気圧調整工程は、前記容器内の気圧を漸次下げる調整であることを特徴とする請求項１に記載のハードディスクドライブ内に記憶されたデータの読取方法。
【請求項３】
故障により正常に読み取りできない状態となっているハードディスクドライブ内に記憶されたデータの読取方法であって、
前記ハードディスクドライブの筐体の密閉状態を解除する工程と、
前記密閉状態が解除されたハードディスクドライブの筐体を密閉する工程と、
前記筐体に穿設された孔からヘリウムを注入する工程と、
操作装置の接続線を前記ハードディスクドライブに接続する工程と、
前記筐体に穿設された孔からヘリウムを注入する工程中に、前記ハードディスクドライブに内蔵されたプラッタから読取／書込ヘッドによりデータの正確な読み取りができたことを検知する検知工程と、
前記検知工程にてデータの正確な読み取りが開始されたことの検知情報に基づき、前記ハードディスクドライブからデータの正確な読み取りができる状態に気圧を維持する維持工程と、
前記気圧を維持した状態で、前記プラッタからデータを読み取り、読み取ったデータを記憶媒体へ移し替える工程と、
を備えることを特徴とするハードディスクドライブ内に記憶されたデータの読取方法。
【発明の詳細な説明】
【技術分野】
【０００１】
本発明は、正常に読み取りのできない状態にあるハードディスクドライブ内に内蔵されたプラッタに記憶されたデータを読み取る読取方法に関する。
【背景技術】
【０００２】
一般にハードディスクドライブは、空気の満たされた筐体内にプラッタを内蔵している。プラッタは、デジタル的に符号化されたデータを、読み書き可能な磁気面を有する円盤状の記録媒体である。ハードディスクドライブの動作時には、内部でプラッタが高速で回転し、片持ちアーム状の読取／書込ヘッドによりデータが読み書きされるようになっている。
【０００３】
尚、読取／書込ヘッドは、動作時にプラッタとの接触を避けるために、プラッタの回転に伴う気流により発生する揚力により読取／書込ヘッド自身が僅かに浮き上がるような構造となっている。一方、読取／書込ヘッドにより、プラッタの表面に同心円状に連続的に並んで記録された情報をそれぞれ正確に読み取るには、動作時に読取／書込ヘッドとプラッタの表面との空隙が高い精度で所定空隙に維持されている必要があるため、読取／書込ヘッドは、自身の浮上移動分を考慮した高さに位置するよう設計されている。
【０００４】
ところで、近年ハードディスクドライブの記憶容量を向上させる等の目的でプラッタを内蔵する筐体内に通常の空気の代わりにヘリウムを充填し密閉したものがある（例えば、特許文献１）。ヘリウムは空気の７分の１の密度であり、動作時に空気に比例して発生する気流が激減するため、プラッタの回転時の縦ブレが少なく安定するとともに、プラッタの回転による読取／書込ヘッドの浮上移動を小さくできる。そのため、プラッタ同士の間隙を小さくでき、同じ厚みの筐体により多くの枚数のプラッタを近接して搭載可能となり、記憶容量が向上している。
【０００５】
上記したように、ハードディスクドライブは精密機器であるため、些細な故障で正常にプラッタに記憶されたデータの読み取りを行えなくなる場合がある。このような物理的な故障に対応する業者としては、筐体を分解しプラッタを別の筐体に移し替える、又は筐体内の読取／書込ヘッド等の故障部品を交換する、などにより故障したハードディスクドライブのすることで正常にプラッタからデータを読み出し、別のハードディスクドライブに移し替えるという作業が一般的である。
【先行技術文献】
【特許文献】
【０００６】
【特許文献１】特開２０１３−８４３４０号公報（第５頁、第１図）
【発明の概要】
【発明が解決しようとする課題】
【０００７】
特許文献１に記載されているようなヘリウムを充填したハードディスクドライブにあっては、上記した故障の対応時に、筐体を開けて密閉状態を解くとヘリウムが流出する。尚、このようなハードディスクドライブは、筐体内へのヘリウムの充填に特殊な技術を要するばかりか、充填するヘリウムの気圧調整にもノウハウを要するため、ひとたび筐体を開けて密閉状態を解いてしまうと、故障に対応する業者ではヘリウムの再充填は困難である。
【０００８】
そして、このようなハードディスクドライブにおいては、ヘリウムが充填された筐体内という環境下における読取／書込ヘッドの浮上移動を想定して読取／書込ヘッドの位置が設計されていることから、通常の空気内で動作させた場合、読取／書込ヘッドに係る揚力が設計より高いために読取／書込ヘッドが必要以上に浮上移動してしまい、プラッタ表面を正確に読み取ることができない虞があった。
【０００９】
このように、筐体の開封等により、読取／書込ヘッド及びプラッタの周辺環境がひと度変化すると読取／書込ヘッドとプラッタとの設定距離を再現することが困難となるハードディスクドライブは、これまで行われてきた故障対応では、内蔵されたプラッタからデータを読み取ることができないという問題があった。
【００１０】
本発明は、このような問題点に着目してなされたもので、正常に読み取りのできない状態となっており、かつ読取／書込ヘッド及びプラッタの周辺環境が変化すると読取／書込ヘッドとプラッタとの設定距離を再現することが困難なハードディスクドライブ内に内蔵されたプラッタに記憶されたデータを読み取ることのできる読取方法を提供することを目的とする。
【課題を解決するための手段】
【００１１】
前記課題を解決するために、本発明のハードディスクドライブに内蔵されたプラッタに記憶されたデータの読取方法は、
故障により正常に読み取りできない状態となっているハードディスクドライブ内に記憶されたデータの読取方法であって、
前記ハードディスクドライブの筐体の密閉状態を解除する工程と、
前記密閉状態が解除されたハードディスクドライブを容器に密閉収容する工程と、
前記容器内の気圧を調整する気圧調整工程と、
前記容器内のハードディスクドライブに内蔵されたプラッタから読取／書込ヘッドによりデータの正確な読み取りができたことを検知する検知工程と、
前記気圧調整工程中において、データの正確な読み取りができる状態の該気圧を維持する工程と、
前記気圧を維持した状態で、前記プラッタからデータを読み取り、読み取ったデータを記憶媒体へ移し替える工程と、
を備えることを特徴としている。
この特徴によれば、気圧調整工程により容器内の気圧が調整されることで、ハードディスクドライブのプラッタ及び読取／書込ヘッドの周辺環境が、筐体の密閉状態が解除される以前の状態に近づき、更に、データの正確な読み取りができたことを検知したことで、周辺環境が筐体の密閉状態が解除される以前の状態と略同環境となったことが検知される。そのため、この状態でハードディスクドライブを動作させることで、プラッタの回転で生じる読取／書込ヘッドに係る揚力が設計通りとなり、読取／書込ヘッドが所定の高さでプラッタ上に位置するように浮き上がり、プラッタに記録されたデータを正確に読み取ることができる。また、ハードディスクドライブからデータの正確な読み取りができる状態が維持されるため、データを正確に再現することができる。
【００１３】
前記気圧調整工程は、前記容器内の気圧を漸次下げる調整であることを特徴としている。
この特徴によれば、気圧調整中に読取／書込ヘッドがプラッタ表面に接触することを防止することができる。
【００１４】
前記課題を解決するために、本発明のハードディスクドライブに内蔵されたプラッタに記憶されたデータの読取方法は、
故障により正常に読み取りできない状態となっているハードディスクドライブ内に記憶されたデータの読取方法であって、
前記ハードディスクドライブの筐体の密閉状態を解除する工程と、
前記密閉状態が解除されたハードディスクドライブの筐体を密閉する工程と、
前記筐体に穿設された孔からヘリウムを注入する工程と、
操作装置の接続線を前記ハードディスクドライブに接続する工程と、
前記筐体に穿設された孔からヘリウムを注入する工程中に、前記ハードディスクドライブに内蔵されたプラッタから読取／書込ヘッドによりデータの正確な読み取りができたことを検知する検知工程と、
前記検知工程にてデータの正確な読み取りが開始されたことの検知情報に基づき、前記ハードディスクドライブからデータの正確な読み取りができる状態に気圧を維持する維持工程と、
前記気圧を維持した状態で、前記プラッタからデータを読み取り、読み取ったデータを記憶媒体へ移し替える工程と、
を備えることを特徴としている。
この特徴によれば、再度密閉された筐体にヘリウムが注入されることで、ハードディスクドライブのプラッタ及び読取／書込ヘッドの周辺環境が、筐体の密閉状態が解除される以前の状態に近づき、更に、データの正確な読み取りができたことを検知したことで、周辺環境が筐体の密閉状態が解除される以前の状態と略同環境となったことが検知される。そのため、この状態でハードディスクドライブを動作させることで、プラッタの回転で生じる読取／書込ヘッドに係る揚力が設計通りとなり、読取／書込ヘッドが所定の高さでプラッタ上に位置するように浮き上がり、プラッタに記録されたデータを正確に読み取ることができる。
【図面の簡単な説明】
【００１８】
【図１】実施例１におけるハードディスクドライブ内に記憶されたデータの読取装置の構成を示す図である。
【図２】（ａ）は、実施例１における密閉状態のハードディスクドライブを示す図であり、（ｂ）は、同様に、密閉状態を解いた状態のハードディスクドライブを示す図である。
【図３】実施例１における容器を示す図である。
【図４】実施例１における操作装置を示す図である。
【図５】実施例１における容器内にハードディスクドライブを収容する様子を示す図である。
【図６】実施例１における容器内の真空引きを行っている様子を示す図である。
【図７】実施例１における容器にヘリウムを供給する様子を示す図である。
【図８】実施例１における容器内のハードディスクドライブを読取動作させた状態を示す図である。
【図９】実施例１における容器内のヘリウムを脱気する様子を示す図である。
【図１０】読取動作処理を行っていることを示す表示がディスプレイに表示された状態を示す図である。
【図１１】報知手段を示す表示がディスプレイに表示された状態を示す図である。
【図１２】実施例２におけるハードディスクドライブ内に記憶されたデータの読取方法の手順を示す図である。
【図１３】実施例３におけるハードディスクドライブ内に記憶されたデータの読取装置を示す図である。
【発明を実施するための形態】
【００１９】
本発明に係るハードディスクドライブ内に記憶されたデータの読取方法及び読取装置を実施するための形態を実施例に基づいて以下に説明する。
【実施例１】
【００２０】
図１は、読取装置１の構成を示す図である。読取装置１は、密閉状態が解除された状態のハードディスクドライブＨを収容可能な密閉された容器２と、容器２内に収容されたハードディスクドライブＨと接続可能な接続端子９ａ（図３参照）を容器２内に有し、ハードディスクドライブＨを操作可能な容器２の外部に配置される操作装置３と、を備えている。
【００２１】
ハードディスクドライブＨは、図２に示されるように、筐体本体４Ａと蓋体４Ｂとからなる筐体４内にプラッタ５と、プラッタ５を駆動するモータ（図示せず）と、プラッタ５に対して読み書きを行う読取／書込装置６（読取と書込との少なくとも一方を行うことができる装置）とを備えている。尚、このハードディスクドライブＨは、筐体４内に空気よりも比重の軽い気体（ここではヘリウムとする）が満たされており、何らかの故障によりプラッタ５に記憶されたデータを正常に読み取りできない状態となっているものである。読取／書込装置６は、プラッタ５上と、プラッタ５上から退避させた位置とを移動可能なアーム状の読取／書込ヘッド６Ａと、該読取／書込ヘッド６Ａを回動させる図示しないマグネットを用いた駆動部６Ｂと、読取／書込ヘッド６Ａで読み取ったデータを増幅するプリアンプと１２とを備えている。
【００２２】
元々ハードディスクドライブＨには、筐体４内にヘリウムが所定の気圧で充填されており、所定の空気抵抗をプラッタ５が受けることで、プラッタ５の回転数及び、プラッタ５の回転により生じる気流が読取／書込ヘッド６Ａに対して所定の揚力を発生させる。そして、読取／書込ヘッド６Ａの上面側の気流と下面側の気流とにより読取／書込ヘッド６Ａが所定の高さに維持されることで、プラッタ５に記憶されたデータを正常に読取りが可能となっている。
【００２３】
図３に示されるように、容器２は、金属製の円筒形状で上側に開口部２ａを有する容器本体２Ａと、容器本体２Ａの開口部２ａを閉塞する蓋体２Ｂと、から構成されている。蓋体２Ｂの容器本体２Ａの開口部２ａとの対向面には図示しないシール材が固着されており、開口部２ａとの閉時には容器２が完全に密閉されるようになっている。容器本体２Ａの側面には密閉状に取り付けられた覗き窓２ｂが設けられている。
【００２４】
蓋体２Ｂには、容器２内の気圧を計測する気圧計１１と、蓋体２Ｂを貫通する接続プラグ７Ａ，７Ｂを有している。接続プラグ７Ａ，７Ｂにはそれぞれ接続プラグ７Ａ，７Ｂを開閉する弁装置８Ａ，８Ｂが設けられている。
【００２５】
また、蓋体２Ｂには、後述する容器２内に収容されるハードディスクドライブＨの端子と接続される接続端子９ａを一方端部に有する接続線９が挿通されている。尚、この接続線９は蓋体２Ｂに形成された孔（図示せず）を挿通され、その長手方向の一部が孔に対して密閉状に固着されている。
【００２６】
接続線９における容器２の外部に露出した他方端部は操作装置３と接続されている（図４参照）。操作装置３は、所謂パソコンであり、パソコン本体３ａと、パソコン本体３ａと接続されたディスプレイ３ｂと、キーボード、マウス等を有しており、接続線９で互いに接続されたハードディスクドライブＨの動作や停止の操作を行うことができるとともに、ハードディスクドライブＨ（図２参照）内のプラッタ５から読取／書込装置６が読み取ったデータをパソコン本体３ａに接続された記憶媒体に記憶する等の機能を有する。
【００２７】
この読取装置１を利用して、ハードディスクドライブＨ内のプラッタ５に記憶されたデータを読み取る手順としては、まず、ハードディスクドライブＨの蓋体４Ｂを外し、故障箇所を点検し、必要に応じて読取／書込装置６等の故障部品の交換等の修理を行う。このとき、筐体４が開けられた時点で筐体４内に充填されていたヘリウムが流出した状態となる。この修理工程ではプラッタ５と読取／書込ヘッド６Ａとの周辺環境が、設計時の気圧のヘリウムでないという要因を除き、ハードディスクドライブＨが正常に機能する状態とする。尚、故障部品の交換等では問題が解決しないと判断される場合は、プラッタ５を取り外し、正常に動作する別のハードディスクドライブに、取り外したプラッタ５を移載する等の対応が行われる。
【００２８】
続いて、図５に示されるように、故障の問題が解決したハードディスクドライブＨは、再度蓋体４Ｂが取付けられた状態で容器本体２Ａ内に収容し、接続線９の接続端子９ａをハードディスクドライブＨに接続する。その後、蓋体２Ｂにより開口部２ａを閉じ、容器２を完全に密閉する（収容工程）。このとき、ハードディスクドライブＨは、ハードディスクドライブＨの外部の気体がハードディスクドライブＨ内に侵入できるように、筐体本体４Ａと蓋体４Ｂとを完全に密閉されていない状態となっている。
【００２９】
次に、図６に示されるように、接続プラグ７Ｂに脱気装置１０の脱気管１６を接続し、接続プラグ７Ｂの弁装置８Ｂを開操作するとともに脱気装置１０を駆動させ、気圧計１１を確認しながら容器２内を真空引きした後、弁装置８Ｂを閉操作する。脱気装置１０は、図示しない真空ポンプと外真空ポンプに流体的に並列接続された流量調整弁により構成され、容器２内の気圧を調整するものである。また、真空ポンプ及び流量調整弁の容器２側には、それぞれ電磁弁が設けられている。
【００３０】
次いで、図７に示されるように、接続プラグ７Ａにヘリウムを供給する供給管１５を繋ぎ、弁装置８Ａを開操作する。使用者は、気圧計１１を確認しながら、容器２内が所定の気圧になるまでヘリウムの充填を行い、所定の気圧になったことを確認して弁装置８Ａを閉操作する。このとき、ハードディスクドライブＨに接続された操作装置３は、ハードディスクドライブＨが読取動作を開始しない状態としておく。詳しくは、容器２内が所定の気圧になるまで駆動部６Ｂにより回動させて読取／書込ヘッド６Ａをプラッタ５上から退避させた位置に位置させる（図５参照）待機状態としておく。
【００３１】
容器２内が所定の気圧となったことが確認された場合、操作装置３はハードディスクドライブＨの読取動作処理を行う。この読取動作処理の開始により、駆動部６Ｂにより回動させて読取／書込ヘッド６Ａがプラッタ５上に移動され（図８参照）、プラッタ５に記憶されたデータの読取りが連続的に試みられる。この読取動作処理に並行して、図９に示されるように、脱気管１６が接続された、接続プラグ７Ｂの弁装置８Ｂを開操作するとともに、脱気装置１０（気圧調整装置）を駆動させ、容器２内の気圧を徐々に下げる（気圧調整工程）。
【００３２】
図１０は、読取動作処理中の操作装置３のディスプレイ３ｂの表示を示した図である。容器２内の気圧は、脱気装置１０の駆動により徐々に下がり、これに伴いプラッタ５と読取／書込ヘッド６Ａとの距離が徐々に近づき、容器２内におけるプラッタ５及び読取／書込ヘッド６Ａの周辺環境が、蓋体４Ｂが開けられて筐体４の密閉状態が解除される以前の元のハードディスクドライブＨの筐体４内と略同環境となったときに、読み取りに成功する。尚、ここでいう元のハードディスクドライブＨの筐体４内と略同環境という表現は、厳密には密閉状態が解除される以前のプラッタ５の回転により生じる気流が同じとはいえないが、プラッタ５と読取／書込ヘッド６Ａ周辺の雰囲気が、元のハードディスクドライブＨの筐体４内におけるプラッタ５と読取／書込ヘッド６Ａ周辺の雰囲気と略同環境となるという意味で用いている。
【００３３】
また、筐体４内に密封された気体と同じ気体（ここではヘリウム）を用いると、気流以外に筐体４内のプラッタ５の軸受等に与える影響が少なく好ましい。
【００３４】
操作装置３は、読取／書込装置６によりプラッタ５の磁気データを読み取り、読み取られた複数の磁気データを解析することで、磁気データの集合で構成されたデータの復元が可能であることが判断できたことを基準に、正確な読み取りが開始されたことを検知するようになっている（検知工程）。
【００３５】
詳しくは、気圧調整によりプラッタ５と読取／書込ヘッド６Ａとの周辺環境が筐体４の密閉状態が解除される以前の元のハードディスクドライブＨの筐体４内と略同環境となったことで、読取／書込ヘッド６Ａが設計時の浮上量で浮き上がった状態、即ち読取／書込ヘッド６Ａとプラッタ５表面との距離が設計時の所定距離となるため、操作装置３によりプラッタ５に記憶されたデータが正確に読取られることになる。
【００３６】
ここでは図示しないが、脱気装置１０は接続線１９により操作装置３と接続され、操作装置３からの操作で脱気装置１０の駆動運転の調整が可能となっており、上記した読取りが成功した場合、パソコン本体３ａは、容器２内の気圧が読取りに成功した状態で維持される駆動運転となるように脱気装置１０を制御する（維持工程）。この制御方法は種々考えられるが、例えば、脱気装置１０に内蔵された電磁弁を閉操作する態様であってもよいし、脱気装置１０内のモータの回転数を下げて、ポンプの吸気能力を容器２内と均衡させる態様であってもよい。
【００３７】
更に、パソコン本体３ａは読取りが成功すると、図１１に示されるように、ディスプレイ３ｂに読取りが成功したことを示す画面が表示される。この画面にはディスプレイ３ｂにデータコピーボタン２０と、気圧を記録ボタン２１とが合わせて表示される。尚、ディスプレイ３ｂに表示される読取りが成功したことを示す画面は、使用者に読取りが成功したことを報知することが目的であり、この報知手段としては、例えばディスプレイ３ｂへの表示に代えて音や光による報知であってもよい。
【００３８】
使用者によりデータコピーボタン２０が操作されると、パソコン本体３ａは、ハードディスクドライブＨ内のプラッタ５に記憶されたデータを読取り、読み取ったデータをパソコン本体３ａに接続された記憶媒体に移し替える処理を行う。
【００３９】
使用者により気圧を記録ボタン２１が操作されると、パソコン本体３ａは、読取りに成功した状態での容器２内の気圧等の情報を自身の持つ記憶媒体内の記録テーブルに記録するとともに、記憶が完了した画面（図示せず）を表示する処理を行う。この気圧等の情報の記録時には、使用者が気圧計１１を直接確認して記録テーブルに記入する態様に限らない。例えば、気圧計１１と操作装置３とを接続し、操作装置３が正確な読み取りが開始されたことを検知したことに基づいて、気圧計１１からその時点での気圧情報を受け取り、当該気圧情報を記録テーブルに自動的に記録する処理を行うようにしておけば、使用者による記録ボタン２１の操作によらずに、読取りに成功した状態の気圧を正確に記録することができる。尚、記録テーブルには、気圧の数値情報の他に、読取対象のハードディスクドライブＨの型番や、メーカーの情報等が対応付けられて記録される。
【００４０】
また、操作装置３は、記録テーブル内のデータを用いて脱気装置１０の駆動運転を制御することができるようになっており、ハードディスクドライブの読取時に、当該ハードディスクドライブと同機種の読取成功時のデータが記録テーブルに記録されている場合、第２の気圧調整工程時に、記録された気圧等のデータを用いて自動的に気圧を調整でき、読取りの作業効率を高めることができる。
【実施例２】
【００４１】
次に、実施例２に係る読取方法につき、図１２を参照して説明する。尚、前記実施例と同一構成で重複する構成の説明を省略する。
【００４２】
まず、ハードディスクドライブＨの蓋体４Ｂを外し、故障箇所を点検し、必要に応じて読取／書込装置６等の故障部品の交換等の修理を行う。このとき、蓋体４Ｂに孔３０を穿設しておく（図１２（ａ）参照）とともに、孔３０を塞ぐように弾性体である皮膜部材３１を固定する。続いて、故障の問題が解決したハードディスクドライブＨは、再度蓋体４Ｂを取付けた状態で、筐体本体４Ａと蓋体４Ｂとの接合部分がシール材（図示せず）にて密閉される（図１２（ｂ）参照）。
【００４３】
そして、図１２（ｃ）に示されるように、供給管１５の先端に設けられた針状の注入部４０を孔３０が位置する部分の皮膜部材３１に突き刺し、供給管１５から筐体４内にヘリウムを流入させる。
【００４４】
前述した正確な読み取りが開始されたことの検知情報に基づき、ヘリウムの流入を止め、注入部４０を引き抜くとともに、図１２（ｄ）に示されるように、皮膜部材３１に穿設された孔３１ａをシール材３２にて密閉する。これによれば、容器を用意せずともハードディスクドライブＨのプラッタ及び読取／書込ヘッド周辺の雰囲気を、密閉状態が解かれる前の元のヘリウムが満たされた状態に近づけることができる。
【００４５】
また、針状の注入部４０を皮膜部材３１に突き刺してヘリウムを注入することから、孔３１ａを小さくできるとともに、皮膜部材３１の弾性復元力にて孔３１ａが閉じられるため、注入部４０を引き抜いてから、シール材３２にて密閉するまでの間にヘリウムが外部に流出することが抑制される。尚、筐体本体４Ａと蓋体４Ｂとの接合部分を密閉するシール材と孔を密閉するシール材は、それぞれ、データの読み取りを行う短期間だけ密閉状態を維持できればよいため、高い密閉性を必要としない。
【実施例３】
【００４６】
次に、実施例３に係る読取装置につき、図１３を参照して説明する。尚、前記実施例と同一構成で重複する構成の説明を省略する。
【００４７】
図１３に示されるように、容器２５は下端部に開口２５ａを有する側断面視下向き略コ字状の箱体である。容器２５はガラス等の透光性を有する素材で形成されており、容器２５の側面２５ｄにおける開口２５ａより天面２５ｂ側には係止片２５ｃ，２５ｃが形成されている。係止片２５ｃ，２５ｃの上には、上下に貫通する孔２６ａを複数有する載置台２６が取り外し自在に支持されている。容器２５の側面２５ｄに設けられた孔２５ｅには、ヘリウムを供給する供給管１５が接続されている。
【００４８】
読み取り方法としては、ハードディスクドライブＨを載置台２６に載置し、載置台２６が略水平である状態で容器２５内にヘリウムを流入させる。容器２５内に流入されたヘリウムは、比重が小さいことから載置台２６の孔２６ａを通って容器２５内の天面２５ｂ側に滞留することになる。
【００４９】
これによれば、密閉状態を解く前の元のヘリウムが略大気圧に近い場合には、ヘリウムが滞留した天面２５ｂ側に載置されたハードディスクドライブＨのプラッタ及び読取／書込ヘッド周辺の雰囲気が、密閉状態を解く前の元のヘリウムが満たされた状態に近づくことになり、プラッタに記録されたデータを正確に読み取ることができる。また、このような構造とすることで、容器２５に密閉性の高い構造を必要とせず、簡素な構成とすることができる。
【００５０】
以上、本発明の実施例を図面により説明してきたが、具体的な構成はこれら実施例に限られるものではなく、本発明の要旨を逸脱しない範囲における変更や追加があっても本発明に含まれる。
【００５１】
前記実施例においては、容器２内にヘリウムを所定の気圧となるまで供給した後、ヘリウムを脱気し、密閉状態を解く前の元のハードディスクドライブＨの筐体４内と同じ気圧とすることで、プラッタ５に記憶されたデータを読取り可能としているが、この態様に限られない。
【００５２】
例えば、容器２内には空気を満たしておき、ハードディスクドライブＨの収容後に、脱気装置１０により容器２内の気圧を所定値以下に下げた後、容器２に接続された加圧ポンプ（気圧調整装置）により読取動作処理に並行して、容器２に接続された加圧ポンプ（気圧調整装置）により容器２内に徐々に空気を供給していく態様であってもよい。
【００５３】
これによれば、容器２内のプラッタ５と読取／書込ヘッド６Ａ周辺の空気の量が調整され、密閉状態を解く前の元のヘリウムが満たされた状態のハードディスクドライブＨの筐体４内と同じ抵抗をプラッタ５が受けるようになることで、読取／書込ヘッド６Ａが設計時の浮上量で浮き上がり、読取りが可能となる。
【００５４】
また、前記実施例では、脱気装置１０を利用して容器２内の気圧を減圧しているが、これに限らず、例えば容器を蛇腹形状等の容量を拡大変形及び縮小変形可能な構造とすることで、拡大または縮小時に容器内が減圧されるようにしてもよい。この場合、容器自体が気圧調整装置として機能することとなる。
【００５５】
また、上述した脱気装置１０を駆動させて容器２内の気圧を徐々に下げる気圧調整工程は、読取動作処理の開始後に、脱気装置１０の流量調整弁と電磁弁とは操作装置３から操作可能に接続されたアクチュエータ（図示せず）により自動的に制御されて行われるが、これに限らず、使用者が手動で脱気装置１０の駆動制御を行ってもよいし、脱気装置１０を利用する代わりに、弁装置８Ａまたは８Ｂの開閉調整及び開度調整を行うことで容器２内の減圧を行ってもよい。この場合、弁装置８Ａまたは８Ｂが気圧調整装置として機能することとなる。
【符号の説明】
【００５６】
１                読取装置
２                容器
２Ａ              容器本体
２Ｂ              蓋体
２ａ              開口部
２ｂ              窓
３                操作装置
３ａ              パソコン本体
３ｂ              ディスプレイ
４                筐体
５                プラッタ
６                読取／書込ヘッド
７Ａ，７Ｂ        接続プラグ
８Ａ，８Ｂ        弁装置
９                接続線
９ａ              接続端子
１０              脱気装置
１１              気圧計
１５              供給管
１６              脱気管
１９              接続線
２０              データコピーボタン
２１              記録ボタン
Ｈ                ハードディスクドライブ
【図１】
0006450702.tif 000002
【図２】
0006450702.tif 000003
【図３】
0006450702.tif 000004
【図４】
0006450702.tif 000005
【図５】
0006450702.tif 000006
【図６】
0006450702.tif 000007
【図７】
0006450702.tif 000008
【図８】
0006450702.tif 000009
【図９】
0006450702.tif 000010
【図１０】
0006450702.tif 000011
【図１１】
0006450702.tif 000012
【図１２】
0006450702.tif 000013
【図１３】
0006450702.tif 000014